(57)【要約】【課題】ユーザの携帯電話機のメールアドレスを簡易に取得し得るとともに、メールに対するユーザの関心の向上を図り得るシステムを提供する。【解決手段】本発明のメール管理システムによれば、まず、トリガ装置２０が接続された携帯電話機３０から、その機種に関する情報を含むメールが自動送信され、このメールがメール受信手段１０により受信される。次に、情報抽出手段１２により、受信メールから、メールの発信元の携帯電話機３０の「機種」及び「メールアドレス」に関する情報が抽出される。さらに「コンテンツ」、機種に対応する「メールの利用方法」に関する情報、及び抽出された「メールアドレス」に関する情報を含むメールがメール作成手段１４により作成される。そして、メール作成手段１４により作成されたメールが、抽出されたメールアドレスを有する携帯電話機３０にメール送信手段１５により送信される。【選択図】　図１
2004013593.tif 000002
【特許請求の範囲】
【請求項１】
ネットワーク通信を利用して携帯電話機によるメールを管理するシステムであって、
ユーザの携帯電話機に、該携帯電話機の機種に関する情報を含むメールの自動送信機能を付与するトリガ手段と、
トリガ手段により付与された機能によってユーザの携帯電話機から自動送信されたメールを受信するメール受信手段と、
メール受信手段により受信されたメールから、該メールの発信元である携帯電話機の機種及びメールアドレスに関する情報を抽出する情報抽出手段と、
コンテンツと、携帯電話機の各機種に応じたメールの利用方法に関する情報とを管理する情報管理手段と、
情報管理手段により管理されているコンテンツと、情報抽出手段により抽出された機種に対応付けられて情報管理手段により管理されているメールの利用方法に関する情報と、情報抽出手段により抽出されたメールアドレスに関する情報とを含むメールを作成するメール作成手段と、
メール作成手段により作成されたメールを情報抽出手段により抽出されたメールアドレスを有する携帯電話機に送信するメール送信手段とを備えていることを特徴とするメール管理システム。
【請求項２】
前記コンテンツには、所定のメールアドレスと、該所定のメールアドレスに対するメール送信を条件としてユーザが特典を享受可能である旨のメッセージが含まれていることを特徴とする請求項１記載のメール管理システム。
【発明の詳細な説明】
【０００１】
【発明の属する技術分野】
本発明は、ネットワーク通信を利用して携帯電話機によるメールを管理するシステムに関する。
【０００２】
【従来の技術】
本来の電話機能に加えてメール（電子メール）機能を備えた携帯電話機の普及に伴い、携帯電話機はメールを媒体とする情報端末として重要な役割を担っている。そこで、例えば、ユーザの携帯電話機に対し、有益なコンテンツを含むメールを定期的に配信する等、メールを利用した様々なサービスが実施されている。ユーザがメールを利用したサービスを享受するには、自身の携帯電話機のメールアドレスをメールを配信するサービス業者に開示することが条件となる。
【０００３】
【発明が解決しようとする課題】
しかし、ユーザが携帯電話機の電話機能を主として利用し、メール機能をあまり利用していないか又は全く利用しておらず、自身の携帯電話機のメールアドレスを忘れている場合がある。このような場合、ユーザは携帯電話機のメール機能の利用頻度が低いため、携帯電話機を所持していてもこれをどのように操作してメールアドレスを調べればよいか不明な場合が少なくない。これでは、サービス業者がイベント会場等の一過性の場所でユーザからメールアドレスを提示してもらおうとしても、その思惑が外れることになる。
【０００４】
そこで、サービス業者側のスタッフがユーザの携帯電話機を借りてそのボタン操作によりメールアドレスを調べることが考えられる。しかし、携帯電話機の機種ごとにメールアドレスを調べる操作方法が相違するため、この作業が煩雑で長時間を要する場合がある。また、ユーザとしては、自分の携帯電話機が第三者に操作されるのは、自らのプライバシー保護の観点から心象がよくない。
【０００５】
これでは、サービス業者としてはユーザに対してメールを用いたサービスの展開が妨げられ、ユーザとしてはメールを用いたサービスを享受し得ない。
【０００６】
また、せっかく携帯電話機へのメール送信が可能になっても、もともとメールの利用に関心が薄かったユーザは、携帯電話機を通じたメールの利用が徐々に億劫になり、メールを読まずにそのまま放置しておくことが考えられる。これでは、いくら有益なコンテンツが含まれていてもメールをユーザの携帯電話機に配信する意義が薄れる。
【０００７】
そこで、本発明は、ユーザの携帯電話機のメールアドレスを簡易に取得し得るとともに、メールに対するユーザの関心の向上を図り得るシステムを提供することを解決課題とする。
【０００８】
【課題を解決するための手段】
前記課題を解決するための本発明のメール管理システムは、ユーザの携帯電話機に、該携帯電話機の機種に関する情報を含むメールの自動送信機能を付与するトリガ手段と、トリガ手段により付与された機能によってユーザの携帯電話機から自動送信されたメールを受信するメール受信手段と、メール受信手段により受信されたメールから、該メールの発信元である携帯電話機の機種及びメールアドレスに関する情報を抽出する情報抽出手段と、コンテンツと、携帯電話機の各機種に応じたメールの利用方法に関する情報とを管理する情報管理手段と、情報管理手段により管理されているコンテンツと、情報抽出手段により抽出された機種に対応付けられて情報管理手段により管理されているメールの利用方法に関する情報と、情報抽出手段により抽出されたメールアドレスに関する情報とを含むメールを作成するメール作成手段と、メール作成手段により作成されたメールを情報抽出手段により抽出されたメールアドレスを有する携帯電話機に送信するメール送信手段とを備えていることを特徴とする。
【０００９】
本発明によれば、トリガ手段によりメールの自動送信機能が付与された携帯電話機を通じ、ユーザは自分のメールアドレスに関する情報が含まれたメールを自動的に取得することができる。ユーザは、第三者に携帯電話機を預けて操作させたり、自ら携帯電話機を操作せずに、迅速且つ容易に自分の携帯電話機のメールアドレスに関する情報を取得すことができる。そして、ユーザは自己の携帯電話機のメールアドレスを第三者に提示することができる。
【００１０】
また、携帯電話機に送信されるメールにはコンテンツが含まれており、当該コンテンツの提供業者は、メールを通じてより多くのユーザに対するよりスムーズなコンテンツの提供を図り得る。
【００１１】
さらに、携帯電話機に送信されるメールには、当該携帯電話機の機種に応じたメールの利用方法に関する情報が含まれている。これにより、メールの利用に関心が薄かったユーザに対するメールの利用方法の習得を促し、当該ユーザへのメールの利用への関心を向上させ、メールを介した有益なコンテンツの提供の実効化を図ることができる。
【００１２】
また、本発明のメール管理システムは、前記コンテンツには、所定のメールアドレスと、該所定のメールアドレスに対するメール送信を条件としてユーザが特典を享受可能である旨のメッセージが含まれていることを特徴とする。
【００１３】
本発明によれば、所定のメールアドレスに対するメール送信を条件として特典享受可能であるという情報をユーザに伝えることで、ユーザにその携帯電話機を通じてメールを利用するモチベーションを与えることができる。これにより、それまではメールの利用に関心の薄かったユーザも含め、メールの利用促進を図ることができる。
【００１４】
【発明の実施の形態】
本発明のメール管理システムの実施形態について図面を用いて説明する。図１は本実施形態のメール管理システムの構成説明図であり、図２は本実施形態のメール管理システムの機能説明図である。
【００１５】
図１に示すメール管理システムは、本来の電話機能に加えてメール機能を備えた携帯電話機３０とネットワークを介して双方向通信可能に接続されたサーバ１０と、トリガ装置（トリガ手段）２０とより構成される。
【００１６】
サーバ１０は、メール受信手段１１と、情報抽出手段１２と、情報管理手段１３と、メール作成手段１４と、メール送信手段１５とを備えている。
【００１７】
メール受信手段１１は、トリガ装置２０により付与された機能（後述）によってユーザの携帯電話機３０から自動送信されたメールを受信する。
【００１８】
情報抽出手段１２は、メール受信手段１１により受信されたメールから、メールの発信元である携帯電話機３０の機種及びメールアドレスに関する情報を抽出する。
【００１９】
情報管理手段１３は、コンテンツと、携帯電話機の各機種に応じたメールの利用方法に関する情報とを管理する。
【００２０】
メール作成手段１４は、情報管理手段１３により管理されているコンテンツと、情報抽出手段１２により抽出された機種に対応付けられて情報管理手段１３により管理されているメールの利用方法に関する情報と、情報抽出手段１２により抽出されたメールアドレスに関する情報とを含むメールを作成する。
【００２１】
メール送信手段１５は、メール作成手段１４により作成されたメールを、情報抽出手段１２により抽出されたメールアドレスを有する携帯電話機２０に送信する。
【００２２】
トリガ装置２０は携帯電話機３０に対してその機種に関する情報を含むメールの自動送信機能を付与する。
【００２３】
前記構成のメール管理システムの機能について図２を用いて説明する。
【００２４】
まず、携帯電話機３０とトリガ装置２０とが接続される（ｐ１）。これにより、トリガ装置２０から携帯電話機３０に対し、その機種に関する情報を含むメールの自動送信機能を付与するプログラムがインストールされる（ｐ２）。そして、携帯電話機３０の機種に関する情報が含まれたメールがこの携帯電話機３０から自動発信され、サーバ１０のメール受信手段１１がこのメールを受信する（矢印▲１▼）。なお、このメール（矢印▲１▼参照）には、ユーザの氏名、年齢、住所、職業等の個人情報が含まれていてもよい。
【００２５】
続いて、情報抽出手段１２が、メール受信手段１１により受信されたメールから、メールの発信元である携帯電話機３０の「メールアドレス」及び「機種」に関する情報を抽出する（ｓ１）。
【００２６】
次に、メール作成手段１４がメールを作成する（ｓ２）。このメールには、情報管理手段１３により管理されている「●月○日に‥で〜イベントがある」等のコンテンツと、情報抽出手段１２により抽出された機種に対応付けられて情報管理手段１３により管理されている「メール送信には●●をし、‥して下さい」とか「受信メールを読むには○○をし、‥して下さい」等のメールの利用方法に関する情報と、情報抽出手段１２により抽出されたメールアドレス（△△＠▲▲．‥）に関する情報とが含まれている。
【００２７】
そして、メール送信手段１５が、メール作成手段１４により作成されたメールを、情報抽出手段１２により抽出されたメールアドレスを有する携帯電話機３０に送信する（矢印▲２▼）。
【００２８】
本システムによれば、トリガ装置２０によりメールの自動送信機能が付与された携帯電話機３０を通じ、ユーザは自分のメールアドレスに関する情報が含まれたメールを自動的に取得することができる（図２矢印▲２▼参照）。ユーザは、第三者に携帯電話機３０を預けて操作させたり、自ら携帯電話機３０を操作せずに、迅速且つ容易に自分の携帯電話機３０のメールアドレスに関する情報を取得すことができる。そして、ユーザは必要に応じて自己の携帯電話機３０のメールアドレスを第三者に提示することができる。
【００２９】
また、携帯電話機３０に送信されるメールにはコンテンツが含まれており、当該コンテンツの提供業者は、メールを通じてより多くのユーザに対するよりスムーズなコンテンツの提供を図り得る。
【００３０】
さらに、携帯電話機３０に送信されるメールには、携帯電話機３０の機種に応じたメールの利用方法に関する情報が含まれている（図２矢印▲２▼参照）。これにより、メールの利用に関心が薄かったユーザに対するメールの利用方法の習得を促し、当該ユーザへのメールの利用への関心を向上させ、メールを介した有益なコンテンツの提供の実効化を図ることができる。
【００３１】
なお、本実施形態ではトリガ装置２０が携帯電話機３０に接続（図２ｐ１参照）されることでこの携帯電話機にプログラムがインストール（図２ｐ２参照）されたが、他の実施形態としてサーバ１０がトリガ手段を備え、携帯電話機３０における所定の操作によりトリガ手段から当該プログラムが携帯電話機３０にダウンロードされてもよい。
【００３２】
また、メール（図２矢印▲２▼参照）に含まれるコンテンツには、●●＠○○．‥等の所定のメールアドレスと、「●●＠○○．‥にあなたの氏名、住所、‥を記載したメールを送信してくれた場合、あなたに‥ショップで２割引の価格でショッピングができる優待券をプレゼントしちゃいます」等の当該所定のメールアドレスに対するメール送信を条件としてユーザが特典享受可能となる旨のメッセージとが含まれていてもよい。
【００３３】
本実施形態によれば、所定のメールアドレスに対するメール送信を条件として特典享受可能であるという情報をユーザに伝えることで、ユーザにその携帯電話機３０を通じてメールを利用するモチベーションを与えることができる。これにより、それまではメールの利用に関心の薄かったユーザも含め、メールの利用促進を図ることができる。
【図面の簡単な説明】
【図１】本実施形態のメール管理システムの構成説明図
【図２】本実施形態のメール管理システムの機能説明図
【符号の説明】
１０‥サーバ、１１‥メール受信手段、１２‥情報抽出手段、１３‥情報管理手段、１４‥メール作成手段、１５‥メール送信手段、２０‥トリガ装置、３０‥携帯電話機
【図１】
2004013593.tif 000003
【図２】
2004013593.tif 000004